(57)【特許請求の範囲】
【請求項１】
被梱包体を位置決めして保持するベース板と補強枠とから構成されたセットラックと、該セットラックに被せる直方体状の内装カバーと、該内装カバーを格納する直方体状の外装ケースとから成るリユースコンテナであって、前記ベース板に前記被梱包体を位置決め固定するとともに、前記内装カバーと前記外装ケース間に前記内装カバーを案内して引き出すためのレールを設けたことを特徴とするリユースコンテナ。
【請求項２】
前記セットラックは、前記被梱包体を位置決めして保持するベース板が長方形であり、前記補強枠が前記ベース板の長方形を一つの面とした直方体の各辺に配置された補強枠であることを特徴とする請求項１記載のリユースコンテナ。
【請求項３】
前記直方体状の内装カバーは、一枚の連続した合成樹脂シートから成り、底板から折曲した立ち上がり板の中間部分から折り曲げ線を介して左右一対の箱型のカバー部を開閉自在に連設し、前記底板の上面と前記カバー部の内面に複数個の緩衝材を接着して設けたことを特徴とする請求項２記載のリユースコンテナ。
【請求項４】
前記直方体状の外装ケースは、複数の合成樹脂製パネルから成り、該直方体状の一側面と上面を開口可能として前記各パネルを箱状に組んで構成され、該外装ケースの側面開口部には左右一対のガイド溝を形成し、この一対のガイド溝に沿って開閉パネルをスライドさせて前記側面開口部を開閉自在に構成するとともに、前記上面開口部を天井パネルで覆って当該外装ケースを構成し、該外装ケースの内面には前記内装カバーを案内して引き出すための前記レールを配置し、前記外装ケース内に前記内装カバーを格納したことを特徴とする請求項２又は３記載のリユースコンテナ。
【請求項５】
長方形のベース板と、該ベース板の長方形を一つの面とした直方体の各辺に配置された補強枠とから成るセットラックに被梱包体を位置決めして保持し、該セットラックに直方体状の内装カバーを被せ、該内装カバーを更に直方体状の外装ケース内に格納したリユースコンテナであって、該外装ケースの側面開口部には左右一対のガイド溝を形成し、この一対のガイド溝に沿って開閉パネルをスライドさせて前記側面開口部を開閉自在に構成するとともに、前記上面開口部を天井パネルで覆って当該外装ケースを構成し、該外装ケースの内面にはレールを配置して、前記外装ケースから前記内装カバーを案内して引き出すことができるように構成したことを特徴とするリユースコンテナ。
【発明の詳細な説明】
【技術分野】
【０００１】
本発明は、輸送に際して種々の形状・大きさの物品を梱包するリユースコンテナに関し、特に組み立てが容易で再使用が可能なリユースコンテナに関する。
【背景技術】
【０００２】
従来から物品の輸送時などにおいて、物品を梱包する各種のコンテナが知られている。このようなコンテナは梱包する物品（以下、被梱包体と称することがある）の形態に応じて種々のコンテナが存在する。例えば、現金自動預け払い機（ＡＴＭ：Automated  teller  machine）の通帳記帳モジュールなどの精密機器の輸送においては、衝撃に対する堅牢性、埃や異物などに対する防塵性並びに緩衝性などを考慮して厳重に梱包している。従来、この種の精密機器は、例えばダンボール箱に物品を収容した状態で緩衝材を敷き詰めるとともに、そのダンボール箱の外側を覆うように板材を枠型に組んだ木枠で梱包していた。しかし、このような従来の梱包方法では木枠の組み立て分解に手間が掛かるとともに、それぞれ材料が異なるダンボール箱、緩衝材、木枠の再使用ができず、省資源化へのニーズにも対応できないばかりでなく、梱包時の組み立て・分解作業の他にも廃棄時の分別にも手間が掛かり効率的な梱包作業が望めない。
【０００３】
そこで、近年では梱包時に繰り返して再使用可能な組み立て式コンテナも知られている。このような組み立て式コンテナは、梱包する機器の形状や大きさに応じて種々のものが知られており、例えばアルミ合金といった軽金属で成形した箱型のコンテナや特許文献１などで示す合成樹脂製の組み立て式コンテナなどが知られている。特許文献１に示す組み立て式コンテナは、コンテナの各面を構成する面パネルがＰＰ製パネルによって成形され、その底面パネルの４辺に４枚の側面パネルが折り畳み自在に連結されており、梱包時において各面パネルを箱型に組んで物品を梱包するようにしている。
【先行技術文献】
【特許文献】
【０００４】
【特許文献１】特開２０００−７９９４１号公報
【発明の概要】
【発明が解決しようとする課題】
【０００５】
しかし、特許文献１で示す再使用可能な組み立て式コンテナを用いたとしても、例えば、精密機器などを輸送する際、組み立て式コンテナの他にも衝撃などから精密機器を保護するための堅牢な枠体、埃の付着や異物の混入を防ぐためのカバーや衝撃吸収用の緩衝材が必要であり、特に通帳記帳モジュールは、輸送時の衝撃から通帳記帳モジュールを保護するために、コンテナと通帳記帳モジュールとの空隙に緩衝材を敷き詰めると手間がかかるため、堅牢なコンテナ、防塵用のカバー、緩衝材を含めて再使用が可能であるとともに、緩衝効果が高く梱包作業性にも優れたリユースコンテナが望まれていた。
【０００６】
本発明は上記課題を鑑みてなされたものであり、梱包する物品を衝撃などから保護する堅牢な枠体、保護用のカバー、緩衝材並びに物品を梱包するコンテナをも含めて再使用可能であるとともに、梱包作業性にも優れるとともに、組み立も容易なリユースコンテナを提供することを目的とする。
【課題を解決するための手段】
【０００７】
請求項１のリユースコンテナは、被梱包体を位置決めして保持するベース板と補強枠とから構成されたセットラックと、該セットラックに被せる直方体状の内装カバーと、該内装カバーを格納する直方体状の外装ケースとから成るリユースコンテナであって、前記ベース板に前記被梱包体を位置決め固定するとともに、前記内装カバーと前記外装ケース間に前記内装カバーを案内して引き出すためのレールを設けたことを特徴とする。
【０００８】
請求項１のリユースコンテナによれば、セットラックの底面を形成するベース板に被梱包体を位置決め固定した後、セットラックに内装カバーを被せることによって、被梱包体を固定したセットラックが内装カバーを介して外装ケース内に格納される。内装カバーは外装ケースの内面に設けたレールにより支持される。
【０００９】
請求項２のリユースコンテナの前記セットラックは、前記被梱包体を位置決めして保持するベース板が長方形であり、前記補強枠が前記ベース板の長方形を一つの面とした直方体の各辺に配置された補強枠であることを特徴とする。
【００１０】
請求項２のリユースコンテナによれば、内装カバーが繰り返し再使用可能であるとともに、
セットラックは、底面のベース板が長方形であり、補強枠が該ベース板の長方形を一つの面とした直方体であるために、その中に格納する被梱包体の形状や大きさに関係なく利用可能なリユースコンテナが提供できる。
【００１１】
請求項３のリユースコンテナの前記直方体状の内装カバーは、一枚の連続した合成樹脂シートから成り、底板から折曲した立ち上がり板の中間部分から折り曲げ線を介して左右一対の箱型のカバー部を開閉自在に連設し、前記底板の上面と前記カバー部の内面に複数個の緩衝材を接着して設けたことを特徴とする。
【００１２】
請求項３のリユースコンテナによれば、内装カバーが繰り返し再使用可能であるとともに、
内装カバーの底板に設けた複数個の緩衝材に被梱包体を固定したセットラックを載置し、立ち上がり板の中間部分に形成する折り曲げ線から左右一対のカバー部を起こしてセットラックに内装カバーを被せることによって、セットラックのベース板が底板に設けた緩衝材で支持され、かつ、カバー部の内面に固定した緩衝材がセットラックの補強枠に接触する。
【００１３】
請求項４のリユースコンテナの前記直方体状の外装ケースは、複数の合成樹脂製パネルから成り、該直方体状の一側面と上面を開口可能として前記各パネルを箱状に組んで構成され、該外装ケースの側面開口部には左右一対のガイド溝を形成し、この一対のガイド溝に沿って開閉パネルをスライドさせて前記側面開口部を開閉自在に構成するとともに、前記上面開口部を天井パネルで覆って当該外装ケースを構成し、該外装ケースの内面にはセットラックを収納した前記内装カバーを案内して引き出すための前記レールを配置し、前記外装ケース内に前記内装カバーを格納したことを特徴とする。
【００１４】
請求項４のリユースコンテナによれば、被梱包体をセットしたセットラックを収容した内装カバーを外装ケースに収納する際、底面パネルに設けた緩衝材にセットラックを載置し、外装ケースの側面開口部から内装カバーを挿入して、前記側面開口部に臨むガイド溝に沿って開閉パネルをスライドさせることによって側面開口部を開閉パネルで塞いだ後、外装ケースの上面開口部を天板パネルで塞ぐことによって、外装ケース内に内装カバーを格納する。これにより、被梱包体は内装カバーと外装ケースのそれぞれによって保護される。
【００１５】
請求項５のリユースコンテナは、長方形のベース板と、該ベース板の長方形を一つの面とした直方体の各辺に配置された補強枠とから成るセットラックに被梱包体を位置決めして保持し、該セットラックに直方体状の内装カバーを被せ、該内装カバーを更に直方体状の外装ケース内に格納したリユースコンテナであって、該外装ケースの側面開口部には左右一対のガイド溝を形成し、この一対のガイド溝に沿って開閉パネルをスライドさせて前記側面開口部を開閉自在に構成するとともに、前記上面開口部を天井パネルで覆って当該外装ケースを構成し、該外装ケースの内面にはレールを配置して、前記外装ケースから前記内装カバーを案内して引き出すことができるように構成したとことを特徴とする。
【００１６】
請求項５のリユースコンテナによれば、内装カバーが繰り返し再使用可能であるとともに、
内装カバーを外装ケースに簡単に差し込み或いは引き出すことができるように構成したものである。
【発明の効果】
【００１７】
本発明によれば、被梱包体として外郭形状が複雑な精密機器を梱包する場合であっても、外装ケースと被梱包体との間の空間部分に緩衝材を敷き詰めて梱包する必要がなく、単に被梱包体を直方体形状のセットラックに固定し、緩衝材を備えた内装カバーでセットラックを覆った状態で外装ケース内に被梱包体をセットラックと共に格納するだけで、緩衝材を敷き詰めるといった充填作業も不要なリユースコンテナを提供することができる。さらには、搬送時などに被梱包体に加わる振動や衝撃を内装カバーの緩衝材並びに外装ケースの緩衝材によって効果的に吸収して極めて安定した状態で搬送することができる。
【００１８】
さらに、被梱包体をセットしたセットラックを梱包した内装カバーを外装ケースに積み込む際、外装ケースの側面開口部から内装カバーを水平にスライドさせるように積み込むことができ、被梱包体を梱包した内装カバーを上下方向に高く持ち上げる必要がないため、積み込み作業も容易である。
【００１９】
また、被梱包体を梱包する外装ケースは十分な強度剛性を備え、かつ、成形加工も容易である。また、合成樹脂製の外装ケースは軽量で取り扱いも容易であり梱包作業の労力の軽減並びに梱包作業の短縮化が可能となる。
【図面の簡単な説明】
【００２０】
【図１】本発明の一実施例におけるリユースコンテナの斜視図である。
【図２】同実施例におけるリユースコンテナの開放状態を示す斜視図である。
【図３】同実施例における天井パネルの開閉状態を示す要部の斜視図であり、図３（ａ）は天井パネルを開いた状態、図３（ｂ）は天井パネルを閉じた状態を示している。
【図４】同実施例における外装ケースの内装カバーを案内するレールの配置状況を示す説明図である。
【図５】同実施例におけるセットラックの構造を示す斜視図である。
【図６】同実施例におけるセットラックのベース板に被梱包体をセットした状態を示す一部分の斜視図である。
【図７】同実施例における内装カバーの展開図である。
【図８】同実施例における内装カバーを組み立てた状態を示す斜視図である。
【図９】同実施例における内装カバーへのセットラックの収納状態を示す斜視図である。
【発明を実施するための形態】
【００２１】
以下、本発明を実施するための最良の形態としての一実施例を図１から図９を参照して説明する。なお、本実施例では、梱包対象として現金自動預け払い機（ＡＴＭ：Automated  teller  machine）の通帳記帳モジュール用として最適化した場合を例として説明するが、特に梱包対象として特定の機器に限定されるものではなく、実施例において説明した以外のものに対しても適用可能である。
【００２２】
リユースコンテナ１は、被梱包体（通帳記帳モジュール）Ａをセットして位置決め保持する直方体のセットラック１０と、このセットラック１０を保護する緩衝材を備えた直方体の内装カバー２０と、更にこの内装カバー２０を梱包する直方体の外装ケース５０とから成る。
【００２３】
セットラック１０は、図５などに示すように、全体として長方形の形状を呈する金属製のベース板１１と、このベース板１１の長方形の形状の四隅から立設され、ベース板の長方形を一つの面として構成される直方体形状の補強枠１２とで構成され、ベース板１１には被梱包体Ａを位置決めするＬ型金具１３と被梱包体Ａを固定するアタッチメント金具１４が取り付けられており、図５に示すように、Ｌ型金具１３によって被梱包体Ａの一方の両角部を位置決めした状態で被梱包体Ａの側部に設けたレール１５にアタッチメント金具１４を係止してアタッチメント金具１４をベース板１１にネジ止めした後、ベース板１１に補強枠１２をネジ止めなどの適宜手段によって固定する。
【００２４】
内装カバー２０は、その展開図を図７に示すように、折り曲げ線を点線で示している。この内装カバー２０は、一枚の連続した合成樹脂シート２１から成り、底面板２２に左右の立ち上がり板２３，２４が折り曲げ線２５ａ，２５ａを介して連設され、その立ち上がり板２３，２４からさらに左側面板２６と右側面板２７、天面板２８，２８、前面板２９，２９及び後面板３０，３０、糊代片３２，３２がそれぞれ折り曲げ線２５ｂ，２５ｃ，２５ｄ，２５ｅを介して連設されている。そして、前面板２９と後面板３０と糊代片３２，３２をそれぞれ折り曲げ線２５ｄ，２５ｅから垂直に折り曲げ、さらに、折り曲げ線２５ｃから天面板２８，２８を直角に折り曲げて糊代片３２，３２を天面板２８，２８にリベット止めなどによって固定することによって、左側面板２６，右側面板２７と前面板２９，後面板３０及び天板２８，２８によって左右一対の箱型のカバー部３５，３５が形成される（図８）。このカバー部３５，３５の内面と底面板２２にはセットラック１０の各コーナー部とセットラック１０の両側縁中央に位置してセットラック１０を位置決めする断面Ｌ字型の緩衝材３６，３６・・・が固定されている。さらに、天面板２８，２８の外面にはカバー部３５，３５を閉じた状態で固定する面ファスナ４０が取り付けられており、前面板２９及び後面板３０には手かけ用の長孔４１が形成されている。
【００２５】
外装ケース５０は、図１及び図２などに示すように、例えばＰＰ（ポリプロピレン）などの合成樹脂製の底面パネル５１（図１及び図２共に底面のため見えてはいない）と、左右何れか一方の側面の開閉パネル５２（図１では左側面、図２では外した状態が図示）と、その反対側の側面パネル５３（本実施例では便宜上、右側面パネル５３と称する）と、前面パネル５４及び後面パネル５５と、天板パネル５６とから構成されている。この外装ケース５０を構成する各パネル５１〜５６は、それぞれ外縁部が補強フレーム５７，５７，５７・・・で補強されている。また、底面パネル５１の四隅にコーナー部材５８，５８・・・が固定されており、このコーナー部材５８に開閉パネル５２部分を除く前面パネル５４及び後面パネル５５と右側面パネル５３が固定されている。このような構成を備えることによって、外装ケース５０には、開閉パネル５２と天板パネル５６を取り外すことにより、上面開口部６０ａと一方の（本実施例では左側）側面開口部６０ｂとが連続した開口部６０が形成される（図２参照）。つまり、側面開口部６０ｂに臨む縦方向（図２の状態で垂直方向）の補強フレーム５７には開閉パネル５２を案内するガイド溝６１が形成され、このガイド溝６１に沿って開閉パネル５２の両側縁に形成する差込部６２をスライドさせることによって側面開口部６０ａを開閉するとともに、上面開口部６０ａを天板パネル５６によって開閉する。
【００２６】
図１乃至図３（ａ）（ｂ）で示すように、外装ケース５０の上面開口部６０ａに臨む各側面パネル５２〜５５（図２）の四隅には、Ｌ型の位置決め用の突起部６３を備えた位置決め枠６４が固定され、天板パネル５６の周囲を補強する補強枠６５には突起部６３と対応して該突起部６３と嵌合する切欠部６６が形成されている。また、位置決め枠６４には突起部６３の両側に位置してそれぞれ一対の係止突起部６７が形成され、この係止突起部６７と対応する補強枠６５には弾性変形可能なフック片６８が形成されている。天板パネル５６を外装ケース５０の上面開口部６０ａに嵌め込むと、突起部６３は、天板パネル５６の上面から突き出るような寸法に形成されている。
【００２７】
また、図４に示すように、外装ケース５０の前面パネル５４及び後面パネル５５の内面にはそれぞれ複数のガイドレール７０，７０が固定されるとともに、内装カバー２０の外面側はガイドレール７０，７０に案内されて摺動される。外装ケース５０は、締め付けバンド７２の両端に固定する結合具７３を側面パネル５４，５５の外面に固定した受け金具７４に係合させて外装ケース５０を密閉させた状態で固定している。なお、図１などにおいて、符号７５は側面パネル５４，５５の上縁寄りに設けた左右一対の手掛け用の開口部、符号７６は外装ケース５０をフォークリフトやパレットなどで搬送する際の差込口を形成するための支持台である。
【００２８】
以上のように構成される本発明のリユースコンテナ１の組立手順について説明する。まず、図６に示すように、セットラック１０のベース板１１に設けたＬ型金具１３によって被梱包体Ａを位置決めした後、被梱包体Ａの側部に設けられているレール１５にアタッチメント金具１４を係止してアタッチメント金具１４をベース板１１にネジ止めしてセットラック１０に被梱包体Ａを位置決め固定した状態でセットラック１０のベース板１１に補強枠１２をねじ止めしてセットラック１０を組み立てる。この際、被梱包体Ａの側部に設けられているレール１５は、被梱包体Ａとしての通帳記帳モジュールを銀行端末装置に組み込む際のレールを用いるのが適切である。そして、図９に示すように、被梱包体Ａをセットしたセットラック１０を内装カバー２０の底面板２２上に設けた緩衝材３６，３６上に載置した後、内装カバー２０の折り曲げ線２５ｂから左右のカバー部３５，３５を起こして一方の天面板２８に固定した面ファスナ４０を他方の天面板２８に固定した雌型面ファスナ４０ａに貼り付けることによって、セットラック１０に左右のカバー部３５，３５を被せた状態で固定する。この後、図２に示すように、セットラック１０に固定した被梱包体Ａを内装カバー２０で覆った状態で外装ケース５０に収納する。この際、外装ケース５０の側面開口部６０ｂから内装カバー２０をレール７０により案内して挿入し、底面パネル５１上に内装カバー２０を介してセットラック１０を載置する。そして、側面開口部６０ｂに臨む縦方向の補強フレーム５７に形成するガイド溝６１に沿って開閉パネル５２をスライドさせることによって開閉パネル５２で側面開口部６０ｂを塞ぐとともに、各側面パネル５２〜５５の四隅に形成するＬ型の位置決め用の突起部６３に天板パネル５６の四隅に形成する切欠部６６を嵌合させながら外装ケース５０の上面開口部６０ａを天板パネル５６で塞ぐ。これにより、天板パネル５６の補強枠６５に形成するフック片６８が各側面パネル５２〜５５の位置決め枠６４に形成する係止突起部６７に弾性変形しながら係合して天板パネル５６が固定される。この後、天板パネル５６に取り付けた締め付けバンド７２の結合具７３を側面パネル５４，５５に固定した受け金具７４に係合させて外装ケース５０を密閉する。これにより、外装ケース５０内に被梱包体Ａが格納され、被梱包体Ａの梱包作業が完了する。
【００２９】
以上のように本発明のリユースコンテナ１は、セットラック１０に被梱包体Ａをセットし、セットラック１０に内装カバー２０を被せることによって、内装カバー２０内に設けた緩衝材３６により被梱包体Ａに加わる衝撃などを吸収するとともに、内装カバー２０により被梱包体Ａを保護する。さらに、その内装カバー２０で覆われた被梱包体Ａを外装ケース５０内に格納することによって、搬送時などにおいて精密部品である被梱包体Ａに加わる振動や衝撃を内装カバー２０の緩衝材３６によって効果的に吸収して極めて安定した状態で搬送することができる。したがって、従来、梱包対象であるＡＴＭの通帳記帳モジュールなど、外郭形状が複雑な精密機械を梱包する場合、梱包体と被梱包体Ａとの間の空間部分に緩衝材を敷き詰めるなどして厳重に梱包していたが、本実施例においては、単に被梱包体Ａを固定した所定形状（直方体）のセットラック１０に内装カバー２０を被せることによって、緩衝材を敷き詰めるといった充填作業も不要である。さらに、被梱包体Ａを梱包する一番外側の外装ケース５０は、上面開口部６０ａと側面開口部６０ｂとにより連続した開口部６０が形成され、内装カバー２０を被せたセットラック１０を外装ケース５０に積み込む際、外装ケース５０の側面開口部６０ｂからレール７０にスライドさせるように被梱包体Ａを積み込むことで被梱包体Ａを高く持ち上げる必要がないため、積み込み作業も容易である。また、被梱包体Ａを収納する外装ケース５０の組み立ても、側面開口部６０ｂに臨む縦方向の補強フレーム５７に形成するガイド溝６１に沿って開閉パネル５２をスライドさせた後、各側面パネル５２〜５５の四隅に形成するＬ型の位置決め用の突起部６３に天板パネル５６の四隅に形成する切欠部６６を嵌合させながら外装ケース５０の上面開口部６０ａを天板パネル５６で塞ぐことによって、天板パネル５６の補強枠６５に形成するフック片６８が位置決め枠６４に形成する係止突起部６７に弾性変形しながら係合して天板パネル５６を簡単に固定することができる。このため、被梱包体Ａの梱包作業も容易であるともに、被梱包体Ａを梱包するセットラック１０、内装カバー２０、外装ケース５０は繰り返して使用可能であり、省資源化に向かうニーズにも対応できる。さらに、被梱包体Ａの輸送時において十分な強度剛性を備えるとともに、成形加工も容易で軽量化も可能であるため取り扱いも容易である。
【００３０】
以上、本発明の実施例について詳述したが、本発明は前記の実施例に限定されるものではなく、本発明の要旨の範囲内で種々の変形実施が可能である。例えば、被梱包体Ａの具体例としてＡＴＭの通帳記帳モジュールを例示したが、各種の機器に応じて固定用の各種アタッチメント金具を用意すれば、各種機器の梱包用として広く使用可能である。
【符号の説明】
【００３１】
１  リユースコンテナ
１１  ベース板
１２  補強枠
１０  セットラック
２０  内装カバー
２１  合成樹脂シート
２２  底面板
２３，２４  立ち上がり板
２５ｂ，２５ｃ，２５ｄ，２５ｅ  折り曲げ線
３５  カバー部
３６  緩衝材
５０  外装ケース
５１  底面パネル
５２  開閉パネル
５３  側面パネル
５４  前面パネル
５５  後面パネル
５６  天板パネル
６０  開口部
６０ａ  上面開口部
６０ｂ  側面開口部
６１  ガイド溝
７０  ガイドレール
【図１】
0005406863.tif 000002
【図２】
0005406863.tif 000003
【図３】
0005406863.tif 000004
【図４】
0005406863.tif 000005
【図５】
0005406863.tif 000006
【図６】
0005406863.tif 000007
【図７】
0005406863.tif 000008
【図８】
0005406863.tif 000009
【図９】
0005406863.tif 000010